(57)【特許請求の範囲】
【請求項１】
遊技球が入賞すると遊技者に特典が付与される特定入賞口と、右側に右球入口を左側に左球入口を有し、該右球入口及び左球入口から入球した遊技球を球通過経路を介して前記特定入賞口側へ誘導する役物装置を備える遊技機であって、
前記球通過経路には遊技球を転動させる球転動部が設けられ、該球転動部は、前記特定入賞口側へ向けて転動する遊技球の転動面積が、遊技球が入球する前記左右の球入口に対応して大小異なるように構成され、
そうして前記球通過経路の左右の球転動部の大小の転動面積により前記特定入賞口へ遊技球が入賞する入賞難度が、前記右球入口と前記左球入口とで異なるように構成されていることを特徴とする遊技機。
【請求項２】
前記役物装置は、
正面の中央内部に奥行きを深くした入賞室が区画形成されて遊技盤面に装着される装置本体と、
前記入賞室の上部左右側に前面開口して形成されて遊技球を入賞し得る右球入口及び左球入口と、
前記入賞室の上部左右側に横方向に傾動可能に配置され、電動手段により開閉作動されて前記右球入口及び左球入口の開口前面を開閉し得るとともに開放状態時に遊技球を受け入れ得る羽根部材と、
前記装置本体の正面左側内部と正面右側内部に区分して区画形成されて前記右球入口及び左球入口と、前記入賞室の下部に臨む左側と右側に開口された右入口及び左入口とを連通して遊技球を導入させるための前記球通過経路を形成する左球通路及び右球通路と、
前記装置本体の正面中央上段部位で前記羽根部材間に亘り左右横向きに形成されて前記羽根部材の開放状態で受け入れられた遊技球を左右方向に導入案内して前記右球入口又は左球入口に通入させ得る上球通路と、
前記入賞室の下底部に左右水平状に敷設されて前記右入口と左入口から通出された遊技球を受け入れる右球転動部及び左球転動部と中央の球転動部とを一連に有して遊技球を奥内中央部側に向けて傾斜案内し得る底板部材と、
前記底板部材の中央前側に形成されて上向きに開口された遊技球通入用の開口の下部に遊技球用のセンサを有する前記特定入賞口と、
前記底板部材の右球転動部と左球転動部の奥内部に区画して形成されて遊技球を裏側下方に通出させる普通入賞口と、
前記入賞室内の開口前面側のほぼ中段位置でかつ前記底板部材の上方位置に左右横向きの水平状に設置されて、遊技球を奥から前面側に向けて傾斜案内し得る棚板部材と、
前記棚板部材の中央前板部分に開口されて前記特定入賞口の開口の直上位置に連通状に整合された遊技球通過用の開口と、
前記入賞室内の奥内部側に昇降変位可能に組み込まれて、前記底板部材で案内される遊技球を１個ずつ受け入れ可能な複数の凹部を、前記底板部材の中央部後側で前向きに静止させて遊技球を受け入れ可能とする下端の球導入位置と、前記棚板部材の中央部後側で前向きに静止させて遊技球を前方へ放出可能とする上端の球放出位置とに切り換え保持される球停留部材と、
前記装置本体外の後側に設置されてカム部材を回転し得るモータと、
前記装置本体外の後側に昇降可能に案内支持されて前記カム部材の回転に連繋して昇降切換え移動されるスライド部材と、
前記装置本体の後側中段部位に昇降傾動可能に軸支持されて、後側に延出したレバー状突出部を前記スライド部材の押圧部に係合連繋し、前記入賞室内の前側に延出したアーム状部分に前記球停留部材を軸支持して、該球停留部材を前記球導入位置と前記球放出位置とに切り換え変位保持し得る球停留部材と、を備え、
前記底板部材の左球転動部の前記特定入賞口側へ向けて転動する遊技球の転動面積が、前記右球転動部の特定入賞口側へ向けて転動する遊技球の転動面積より小さくなるように構成されていることを特徴とする請求項１記載の遊技機。
【発明の詳細な説明】
【０００１】
【発明の属する技術分野】
本発明は遊技機に係り、特にはパチンコ機のような遊技機において、入賞すると遊技者に特典が付与される特定入賞口へ遊技球を誘導する技術に関する。
【０００２】
【従来の技術】
例えば、遊技機の一つである第２種パチンコ機では、遊技盤面のほぼ中央位置に入賞装置としてのセンター役物装置が設けられている。このセンター役物装置の両側部には、この装置の球入口を開閉する羽根部材が設けられている。そして、このセンター役物装置の下方位置に設けられた始動口にパチンコ球が入賞すると、これら一対の羽根部材が短時間開放動作を行うように構成されている。また、センター役物装置には、パチンコ球が入賞すると遊技者に特典が付与される特定入賞口（Ｖゾーン）と、入賞しても特典が付与されない普通入賞口が設けられている。すなわち、羽根部材が開放したときにタイミングよくセンター役物装置内へ導入されたパチンコ球が、更に、特定入賞口（Ｖゾーン）へ入賞すると大当たりとなり、遊技者に特典（大当たり遊技）が付与されることとなる。一方、特定入賞口へ入賞しなかったパチンコ球は普通入賞口へ入り、所定数の賞球（賞品球）は払い出されるが特典は付与されない。
【０００３】
【発明が解決しようとする課題】
しかしながら、この種のパチンコ機は、パチンコ球が羽根部材を介してセンター役物装置内に入り、特定入賞口（Ｖゾーン）へ入賞するまで一連の動作が単調で変わり映えしないものであった。例えば、センター役物装置内にキャラクタ体を配置し、このキャラクタ体の動き等を種々変化させても、新鮮味がなく、遊技者の興味を今一歩増加させることができなかった。
【０００４】
そこで本発明はこのような点に鑑みてなされたものであり、その課題とするところは、遊技球が特定入賞口へ入賞するまでの態様に変化を与えることで、遊技内容をより多彩なものとし、遊技の興趣を高めることができる遊技機を提供することである。
【０００５】
【課題を解決するための手段】
上記した課題を解決するために、本発明における遊技機は請求項１，２に記載した通りに構成される。なお、請求項１，２に係る発明は、遊技球が入賞すると遊技者に特典が付与される特定入賞口を有する遊技機において、遊技球が特定入賞口へ入賞するまでの態様に変化を与えることによって遊技内容をより多彩なものとし、遊技の興趣を高めることができるようにした技術である。
【０００６】
本発明の遊技機には、特定入賞口と役物装置が設けられている。この特定入賞口に遊技球が入賞した場合に、遊技者に特典（例えばパチンコ機における大当たり遊技）が付与されるようになっている。また、役物装置は、その右側に右球入口を左側に左球入口を有している。そして、これら球入口から入球した遊技球は、各球入口に対応した球通過経路を介して特定入賞口側へ誘導されるようになっている。そして、球入口および球通過経路を通過した遊技球が、特定入賞口へ入賞する入賞難度、すなわち遊技球の入賞し難さが右球入口と左球入口とで異なるようになっている。これにより、遊技球が右球入口および左球入口のいずれの球入口から入球するかによって遊技者の抱く特典に対する期待感を変えることができる。例えば、遊技機としてのパチンコ機において、右球入口から入球した遊技球の方が、左球入口から入球した遊技球よりも特定入賞口へ入賞し易くなるように構成することができる。通常パチンコ機では、役物装置（センター役物装置）の左側を狙ってパチンコ球を打ち出すのが一般的であるが、役物装置の右球入口から遊技球を入球させることにメリットを与えることによって、役物装置の左側のみならず右側をも有効に使用することができる。これにより、遊技の単調化が防止され多彩な遊技が可能となる。以上のように本発明の遊技機によれば、遊技球が特定入賞口へ入賞し特典獲得に至るまでの遊技内容をより多彩なものとし、遊技の興趣を高めることができる。なお、本発明でいう「遊技機」には各種パチンコ機以外に、アレンジボール機、テレビゲーム機等、遊技球を用いた種々の遊技機を広く含むものとする。また、球通過経路は、１つの球入口あたりに１つ形成される場合であってもよいし、１つの球入口あたりに複数形成される場合であってもよい。また、球通過経路の中に、例えば遊技球が特定入賞口へ１００％入賞する経路が含まれていてもよい。
【０００７】
ここで、本発明の球通過経路には、球転動部が設けられている。この球転動部は特定入賞口の上流において遊技球を転動させるものであり、好適には下流側に向けて低くなるように傾斜した板状部材が用いられる。そして、この球転動部は、遊技球がどの球入口から入球しどの球通過経路を通過するかによって、特定入賞口側へ向けて転動する遊技球の転動面積が異なるようになっている。これにより、特定入賞口への遊技球の入賞難度を異ならせる構成を、直接的かつ効果的に実現することができる。なお、ここでいう「球転動部」とは、１つの部材自体に転動面積の異なる複数の箇所を設けたものであってもよいし、あるいは転動面積の異なる複数の部材を組み合わせたものであってもよい。また、この球転動部は、球通過経路に一体的に設けられる場合であってもよいし、あるいは球通過経路とは別体の部材によって構成される場合であってもよい。例えば、右球入口に対応した第１球通過経路と、左球入口に対応した第２の球通過経路を有する遊技機において、第１の球通過経路あるいは第２の球通過経路を介して遊技球を特定入賞口側へ誘導する場合、第１の球通過経路側の球転動部の転動面積が、第２の球通過経路側の球転動部の転動面積よりも広くなるように構成することができる。これにより、遊技球を第２の球通過経路を通過させる場合よりも、第１の球通過経路を通過させる場合の方が特定入賞口側へ到達し易い。すなわち、遊技球を右球入口へ入球させ、第１の球通過経路を通過させた方が、この遊技球が特定入賞口へ入賞する入賞難度が低く（入賞し易く）なる。従って、遊技機としてのパチンコ機において、遊技者は特定入賞口への入賞難度が低い第１の球通過経路を通過させるべく右球入口を狙ってパチンコ球を打ち出すこととなる。以上のように、本発明の遊技機によれば、各球入口および各球通過経路に対応して異なる転動面積の球転動部を設けた簡単な構成によって、特定入賞口へ遊技球が入賞する入賞難度に変化を与えることができる。
【０００８】
【発明の実施の形態】
以下、本発明における遊技機の一実施の形態であるパチンコ機について図１〜図１１に基づいて説明する。なお、本実施の形態では、センター役物装置（入賞装置）を備えた、いわゆる第２種パチンコ機について説明する。ここで、図１は本実施の形態のパチンコ機１０の外観を示す正面図である。図２は図１中のセンター役物装置２０を拡大して表した正面図である。図３はパチンコ機１０の断面図であって、球停留部材４０が球導入位置にある場合を示している。また、図４はパチンコ機１０の断面図であって、球停留部材４０が球放出位置にある場合を示している。図５はセンター役物装置２０における球停留機構の概要を示す平面図である。また、図６はセンター役物装置２０における球停留機構の概要を示す斜視図である。図７はセンター役物装置２０の斜視図であって、球停留部材４０が球導入位置にある場合を示している。また、図８はセンター役物装置２０の斜視図であって、球停留部材４０が球放出位置にある場合を示している。図９〜図１１はセンター役物装置２０におけるパチンコ球の流れを示す斜視図である。
【０００９】
図１に示すように、本発明の遊技機としてのパチンコ機１０の遊技盤面１２上には、始動口１４，１５、装飾ランプ１６、一般入賞口１８、センター役物装置２０等が適宜配置されている。始動口１４はセンター役物装置２０の下方位置に配置され、その始動口１４の両側に始動口１５が配置されている。始動口１４は内部に始動口センサ１４ａを備え、始動口１４へ入賞したパチンコ球（本発明における遊技球に対応している）を始動口センサ１４ａが検出すると、センター役物装置２０が後述する羽根部材２３，２４の開放動作を例えば２回行うように構成されている。また、始動口１５は始動口センサ１５ａを備え、始動口１５へ入賞したパチンコ球を始動口センサ１５ａが検出すると、センター役物装置２０が後述する羽根部材２３，２４の開放動作を例えば１回行うように構成されている。装飾用ランプ１６は、点滅や点灯することによって遊技盤面１２を装飾する。一般入賞口１８は、パチンコ球が入賞すると所定数の賞球（賞品球）を払い出す。
【００１０】
図２〜図４に示すように、本発明における入賞装置としてのセンター役物装置２０は、７セグ表示器２５、カウント表示器２６、天入賞口２７、一般入賞口２８等を備えている。センター役物装置２０は遊技盤面１２のほぼ中央位置に配置されており、このセンター役物装置２０の右側および左側には、遊技盤面１２上を遊技球が流下可能な流下領域が形成される。なお、遊技盤面１２におけるセンター役物装置２０の配置位置は、中央位置に限定されず必要に応じて適宜変更可能である。例えば、中央位置から左方向へ若干移動した位置にセンター役物装置２０を配置することもできる。７セグ表示器２５は、大当たり遊技時にそのラウンド数を数字で表示するものである。カウント表示器２６は、左右で合計１０個のＬＥＤを備え、入賞室３０へ導入されたパチンコ球の数をラウンド毎に最大１０個までカウントして表示するものである。これら７セグ表示器２５、カウント表示器２６は、ＬＥＤ表示器、プラズマ表示器、液晶表示器、ＣＲＴ等、各種の表示器を用いることができる。天入賞口２７および一般入賞口２８は、入賞球センサ２７ａ，２８ａを備えパチンコ球が入賞すると所定数の賞球（賞品球）を払い出す。
【００１１】
また、センター役物装置２０は、遊技盤面１２の背面側へ向けて凹んだ入賞室３０を備えている。この入賞室３０の図２中左側には、左球入口２１、この左球入口２１を開閉する左羽根部材２３、左球入口２１から導入されたパチンコ球を入賞室３０へ導入する左球通路３２が設けられている。左羽根部材２３は、通常は閉止位置（図２中に示す位置）、すなわち左球入口２１を閉鎖した状態に設定されており、始動口１４，１５へパチンコ球が入賞すると、１回若しくは２回の開放動作（支軸２３ａを中心とした回動）を行うようになっている。また、入賞室３０の図２中右側には、右球入口２２、この右球入口２２を開閉する右羽根部材２４、右球入口２２から導入されたパチンコ球を入賞室３０へ導入する右球通路３４が設けられている。右羽根部材２４は、通常は閉止位置、すなわち右球入口２２を閉鎖した状態に設定されており、始動口１４，１５へパチンコ球が入賞すると、１回若しくは２回の開放動作（支軸２４ａを中心とした回動）を行うようになっている。なお、図２中では、右羽根部材２４が開放位置にある状態（右球入口２２が開放された状態）を示している。これら左羽根部材２３、右羽根部材２４が本発明における開閉部材に対応している。また、左球通路３２、右球通路３４等によって本発明の球通過経路が構成されている。
【００１２】
左球通路３２には、左入賞球検出スイッチ３３ａを備えた左通過口３３が設けられ、右球通路３４には、右入賞球検出スイッチ３５ａを備えた右通過口３５が設けられている。これら検出スイッチ３３ａ，３５ａは、パチンコ球が通過したことを検出するものであり、賞球（賞品球）は払い出さない。図２中に示すように、右球通路３４の方が左球通路３２よりも経路長さ（後述する底板部材４４に至るまでの経路長さ）が長くなっている。しかも、左球通路３２および右球通路３４の前面側は、経路内を通過するパチンコ球を透視可能な樹脂部材によって構成されている。すなわち、左球通路３２や右球通路３４を通過するパチンコ球の様子が、遊技者に容易に認識されるようになっている。これにより、左球通路３２や右球通路３４を通過したパチンコ球が後述する底板部材４４へ至るまでの態様を、遊技者にとって面白味あるものにすることができる。
【００１３】
左羽根部材２３と右羽根部材２４との間には、左球入口２１と右球入口２２とを連通する上球通路２９が設けられている。上球通路２９は、中央部が上方へ膨らんだ凸部を有している。この上球通路２９が本発明における連通路に対応している。左球入口２１から導入されたパチンコ球は、左球通路３２側あるいは上球通路２９側へ振り分けられ、上球通路２９側へ移動し凸部を越えた場合は、上球通路２９を介して右球入口２２へ誘導される。一方、右球入口２２から導入されたパチンコ球は、右球通路３４側あるいは上球通路２９側へ振り分けられ、上球通路２９側へ移動し凸部を越えた場合は、上球通路２９を介して左球入口２１へ誘導される。
【００１４】
入賞室３０内には、キャラクタ部材３１（図２中ではたぬきの形で示している）、背面側が低くなるように僅かに傾斜した底板部材４４、球停留部材４０（本発明における球停留部に対応している）、底板部材４４に設けられた特定入賞口５０（Ｖゾーン）、普通入賞口５１，５２、棚板部材６０等が収容されている。特定入賞口５０へパチンコ球が入賞し、このパチンコ球を大当たりセンサ５０ｂが検出すると大当たりとなる。これにより、遊技者に大当たり遊技（本発明における特典に対応している）が付与され、遊技者は引き続き大当たり遊技を行うこととなる。普通入賞口５１，５２へパチンコ球が入賞すると所定数の賞球（賞品球）が払い出されるのみで大当たり遊技は付与されない。なお、始動口センサ１４ａ，１５ａ、入賞球センサ２７ａ，２８ａ、検出スイッチ３３ａ，３５ａ、大当たりセンサ５０ｂには、例えば近接センサやマイクロスイッチ、光センサ（発光体と受光体）等が用いられる。
【００１５】
図５および図６に示すように、特定入賞口５０は開口５０ａを有する立方状に形成され、その特定入賞口５０の両側には、底板部材４４の上面に対し段差状に形成された誘導板４５，４６が設けられている。左球通路３２、底板部材左入口４７を介して底板部材４４側へ入球したパチンコ球は、底板部材４４の傾斜形状と誘導板４５との協働によって底板部材４４の背面側へ誘導され、普通入賞口５１側あるいは球停留部材４０側へ転動するようになっている。同様に、右球通路３４、底板部材右入口４８を介して底板部材４４側へ入球したパチンコ球は、底板部材４４の傾斜形状と誘導板４６との協働によって底板部材４４の背面側へ誘導され、普通入賞口５２側あるいは球停留部材４０側へ転動するようになっている。
【００１６】
なお、底板部材４４は、奥行き方向の長さが左側と右側とで異なるような形状となっている。図５に示すように、底板部材４４は特定入賞口５０の左側領域に形成された左球転動部４４ａと、特定入賞口５０の右側領域に形成された右球転動部４４ｂとを備えている。これら左球転動部４４ａ、右球転動部４４ｂが本発明における球転動部に対応している。この右球転動部４４ｂの奥行き長さＬ２は、左球転動部４４ａの奥行き長さＬ１よりも長くなっており、右球転動部４４ｂの方が左球転動部４４ａよりも転動面積が大きくなるように構成されている。これにより、右球通路３４、底板部材右入口４８を介して底板部材４４側へ入球したパチンコ球が底板部材４４上を転動し球停留部材４０へ到達する確率は、左球通路３２、底板部材左入口４７を介して底板部材４４側へ入球したパチンコ球が底板部材４４上を転動し球停留部材４０へ到達する確率よりも高くなる。
【００１７】
球停留部材４０は、奥行き方向へ凹んだ３つの凹部４１，４２，４３を備えている。各凹部は、１個のパチンコ球が嵌まり込むことができる大きさになっている。そして、これら凹部４１，４２，４３へ嵌まり込んだパチンコ球は、球停留部材４０によって保持されることとなる。本実施の形態では、球停留部材４０に３つの凹部を設けたが、凹部の数は必要に応じて種々変更可能である。また、球停留部材４０は、図７中に示す球導入位置と図８中に示す球放出位置との間で昇降動作するように構成されている。すなわち、球停留部材４０が底板部材４４に対応した位置にある場合が球導入位置であり、球停留部材４０が棚板部材６０に対応した位置にある場合が球放出位置である。球停留部材４０は、例えば、始動口１４あるいは始動口１５へパチンコ球が入賞したタイミングや、大当たり遊技時の各ラウンドで入賞装置へ１０個のパチンコ球が入賞したことを検出したタイミングで昇降動作を行うように設定される。
【００１８】
球停留部材４０は、球放出位置では棚板部材６０に対応した位置に設定され、球停留部材４０によって保持されたパチンコ球は、棚板部材６０上へ放出されるように構成されている。また、この棚板部材６０はその前面側が低くなるように僅かに傾斜しており、棚板部材６０上へ放出されたパチンコ球はこの傾斜にしたがって前面側へ移動する。そして、このパチンコ球は棚板部材６０に形成された開口６０ａへ落入するか、あるいは棚板部材６０を越えて遊技盤面１２の前面側へ落入する。なお、開口６０ａは、球停留部材４０の３つの凹部４１，４２，４３のうち凹部４２から放出された遊技球が最も入り易い位置に形成されている。従って、球停留部材４０の球導入位置において凹部４２に嵌まり込んだパチンコ球が、球放出位置において最も開口６０ａに入り易い。棚板部材６０の開口６０ａは、特定入賞口５０の上方に配置されており、且つ開口５０ａの位置に対応している。従って、開口６０ａへ落入したパチンコ球は特定入賞口５０へ入賞することとなる。以上のように、右球通路３４、底板部材右入口４８を介して底板部材４４側へ入球したパチンコ球の方が、左球通路３２、底板部材左入口４７を介して底板部材４４側へ入球したパチンコ球よりも、高い確率で球停留部材４０に保持されることになり、特定入賞口５０へ入賞する入賞難度が低いことになる。
【００１９】
次に、球停留部材４０を昇降動作させる機構について図３および図４を参照しながら説明する。図３および図４に示すように、遊技盤面１２の背面側にはカム部材７２を駆動するモータ７０が設けられている。モータ７０が起動されることによって、カム部材７２のピン７２ａが回転するようになっている。このピン７２ａは、スライド部材７３の長孔７３ａへ嵌まり込むようになっている。この長孔７３ａは、左右方向へ延びる形状のものであり、ピン７２ａが回転するとスライド部材７３が上下方向へスライドするように作用する。すなわち、ピン７２ａの回転動作は、スライド部材７３の昇降動作に変換されることとなる。
【００２０】
一方、球停留部材４０は、支軸７５を中心にして回動可能なアーム部材７４に接続されている。更に、球停留部材４０は、支軸４０ａを中心にアーム部材７４に対して回動可能に構成されている。また、アーム部材７４には、スライド部材７３の前面側に形成された押圧部７３ｂに当接する突出部７４ａが設けられている。従って、スライド部材７３は、下降動作を行う際にその押圧部７３ｂによってアーム部材７４の突出部７４ａを下方（図３中の下側）へ押圧する。スライド部材７３が図３に示す位置（スライド部材７３が最も上昇した位置）にある場合は、アーム部材７４は、支軸７５のまわりの重量バランスにしたがって球停留部材４０の接続側が下がることとなる。すなわち、アーム部材７４の球停留部材４０側に作用するモーメントの方が、その反対側に作用するモーメントよりも大きくなっている。そして、アーム部材７４は、突出部７４ａが押圧部７３ｂに当接した位置で保持される。
【００２１】
スライド部材７３が図３に示す位置から下降していくと、押圧部７３ｂは、支軸７５のまわりの重量バランスに抗してアーム部材７４の突出部７４ａを下方（図３中の下側）へ押圧していく。これにより、アーム部材７４は球停留部材４０の接続側および球停留部材４０は、図３中の矢印９０方向へ移動することとなる。そして、球停留部材４０が図４に示す位置まで移動すると、球停留部材４０の前端部４０ｂが棚板部材６０の後端部６０ｂに当接し、球停留部材４０は支軸４０ａを中心にして図４中の矢印９２方向へ回動する。これにより、球停留部材４０の背面側が高くなり、凹部４１，４２，４３に保持したパチンコ球を棚板部材６０側へ放出し易くなる。また、遊技盤面１２の背面側には、羽根部材２３，２４の各々の開閉動作を行うソレノイド７１が設けられている。
【００２２】
次に、上記構成をなすパチンコ機１０において、遊技盤面１２に沿って流下するパチンコ球の流下径路等について図９〜図１１を参照しながら詳細に説明する。遊技盤面１２へ打ち出されたパチンコ球は、遊技盤面１２に沿って種々の経路で流下する。始動口１４，１５へ向けて流下したパチンコ球が、始動口１４あるいは始動口１５へ入賞すると、センター役物装置２０の羽根部材２３，２４は１回若しくは２回の開放動作を行う。従って、羽根部材２３，２４が開放したときにセンター役物装置２０の方向へ打ち出されたパチンコ球は、左球入口２１や右球入口２２を介してセンター役物装置２０内へ導入される可能性がある。
【００２３】
左球入口２１からセンター役物装置２０内へ導入されたパチンコ球は、左球通路３２側あるいは上球通路２９を介して右球通路３４側へ振り分けられる。一方、右球入口２２からセンター役物装置２０内へ導入されたパチンコ球は、右球通路３４側あるいは上球通路２９を介して左球通路３２側へ振り分けられる。このときのパチンコ球の振り分けは、左球入口２１あるいは右球入口２２を通過するパチンコ球の方向、速度等によって変わる。例えば、パチンコ球が左球入口２１から上球通路２９側へ入球し、更に上球通路２９の凸部を越える速度である場合は、右球入口２２へ振り分けられることとなる。図９に示すように、左球通路３２を流下したパチンコ球は、底板部材左入口４７から底板部材４４上へ誘導される。そして、このパチンコ球は、図中の矢印９４で示す球停留部材４０の方向へ転動するか、あるいは図中の矢印９５で示す普通入賞口５１の方向へ転動する。例えば、球停留部材４０の方向よりも普通入賞口５１の方向へ転動する確率が高くなるように構成されている。また、図１０に示すように、右球通路３４を流下したパチンコ球は、底板部材右入口４８から底板部材４４上へ誘導される。そして、このパチンコ球は、図中の矢印９６で示す球停留部材４０の方向へ転動するか、あるいは図中の矢印９７で示す普通入賞口５２の方向へ転動する。例えば、普通入賞口５２の方向よりも球停留部材４０の方向へ転動する確率が高くなるように構成されている。
【００２４】
なお、図５を用いて説明したように、底板部材４４は左球転動部４４ａよりも右球転動部４４ｂの方が奥行き長さが長くなっており、底板部材右入口４８を介して底板部材４４側へ入球した方が球停留部材４０へ到達し易いコースをとることとなる。すなわち、パチンコ球を右球通路３４から流下させた方が、球停留部材４０へ停留させるのに有利である。そして、球停留部材４０へ到達し易くなるということは、パチンコ球が棚板部材６０を介して特定入賞口５０へ入賞する入賞難度が低くなる（入賞し易くなる）ということである。そのうえ、右球通路３４は、左球通路３２よりも経路長さが長く、また経路内を流下するパチンコ球を透視可能であるため、遊技者にとっては右球通路３４を通過するパチンコ球を長い間認識することができるというメリットがある。従って、遊技者にとってはパチンコ球を右球通路３４を介して底板部材４４側へ入球させる方が有利となる。そのためには、右羽根部材２４、すなわちセンター役物装置２０の右上を狙ってパチンコ球を打ち出し、右球入口２２からセンター役物装置２０内へパチンコ球を導入させるのが効果的である。通常、このようなパチンコ機では、センター役物装置２０の左側を狙ってパチンコ球を打ち出すのが一般的であるが、本実施の形態のようにセンター役物装置２０の右側にパチンコ球を打ち出すことにメリットを与えることによって、パチンコ球の流下領域として遊技盤面１２の左側のみならず、遊技盤面１２の右側をも有効に使用することができる。これにより、遊技盤面１２の左側にかたよった発射、転動による遊技の単調化を防止し多彩な遊技を可能とすることができる。
【００２５】
図１１に示すように、例えば、球停留部材４０の凹部４２に保持され、球停留部材４０の上昇によって棚板部材６０上に放出されたパチンコ球は、棚板部材６０上を転動する。そして、このパチンコ球が開口６０ａに落入し、特定入賞口５０へ入賞すると大当たりとなる。従って、遊技者は、引き続き大当たり遊技を行う。大当たり遊技は、例えば最高で１６回（１６ラウンド）行うことができる。大当たり遊技では、一般の第２種パチンコ機と同様に、羽根部材２３，２４が所定時間、開閉動作を繰り返す。また、このとき球停留部材４０は図７に示すような球導入位置に設定される。そして、羽根部材２３，２４が開放したタイミングでセンター役物装置２０内へ導入されたパチンコ球の数が、例えば１０個に到達すると羽根部材２３，２４は開閉動作を停止する。その後、球停留部材４０は球放出位置まで上昇する。このとき、球停留部材４０に保持されたパチンコ球が、棚板部材６０を介して特定入賞口５０へ入賞すると、次のラウンドを行うことができる。球停留部材４０にパチンコ球が保持されなかったり、あるいは球停留部材４０に保持されたパチンコ球が特定入賞口５０へ入賞しなかった場合は、大当たり遊技は終了となる。
【００２６】
以上のように、本実施の形態のパチンコ機１０によれば、パチンコ球がどの球入口から入球しどの球通路を通過するかによって遊技者の抱く特典に対する期待感を変えることができ、特典獲得に至るまでの遊技内容をより多彩なものとし、遊技の興趣を高めることができる。とりわけ、センター役物装置２０の右側にパチンコ球を打ち出すことにメリットを与えることで、遊技盤面１２の左側にかたよった発射、転動による遊技の単調化が防止され多彩な遊技が可能となる。また、本実施の形態のパチンコ機１０によれば、各球通路に対応して異なる転動面積の球転動部を設けた簡単な構成によって、特定入賞口５０へパチンコ球が入賞する入賞難度に変化を与えることができる。また、本実施の形態のパチンコ機１０によれば、左球通路３２と右球通路３４とを連通する上球通路２９を設けることで、特定入賞口５０へのパチンコ球の入賞難度に更なる変化を与えることができる。また、本実施の形態のパチンコ機１０によれば、左球通路３２よりも経路長さが長く経路内を透視可能な右球通路３４を通過したパチンコ球が、特定入賞口５０へ入賞する入賞難度が低くなるように構成したため、遊技者がセンター役物装置２０の右上を狙って遊技を行うという新たな遊技態様を実現することができる。また、本実施の形態のパチンコ機１０によれば、センター役物装置２０内の球通路へパチンコ球を導入するまでの態様に羽根部材２３，２４を用いることで、特典獲得に至るまでの遊技内容を更に多彩なものとし、遊技の興趣を高めることができる。
【００２７】
〔他の実施の形態〕
上述したパチンコ機（遊技機）１０において、他の部分の構造、形状、材質、個数、配置及び動作条件等については、上記実施の形態に限定されるものでない。例えば、上記実施の形態を応用した次の各形態を実施することもできる。
【００２８】
上記実施の形態では、第２種パチンコ機１０に本発明を適用する場合について記載したが、パチンコ機以外の遊技機、例えばアレンジボール機、テレビゲーム機等についても同様に本発明を適用することができる。また、第２種以外のパチンコ機、例えば第１種や第３種パチンコ機に本発明を適用することができる。例えば、遊技盤面のほぼ中央位置に配置されたセンター役物装置に、図柄を変動表示する図柄表示器と、装置右側に設けられた右側ワープ通路と、装置左側に設けられた左側ワープ通路とを備え、更にこの装置の下方に図柄変動用の始動口を有するパチンコ機に本発明を適用することができる。このセンター役物装置として、例えば右側ワープ通路の出口から出た遊技球が転動する右側ステージと、左側ワープ通路の出口から出た遊技球が転動する左側ステージを備え、始動口からの高さが右側ステージと左側ステージとで異なる構成のものを用いることができる。一般に、始動口からの高さが高く距離が離れているステージを転動した遊技球よりも、始動口からの高さが低く距離が短いステージを転動した遊技球の方が始動口へ入賞する確率が高くなる。これは、始動口からの距離が離れているステージから放出された遊技球の方が、ステージと始動口との間に設けられ遊技球に干渉しうる部材、例えば釘部材等に強く衝突してその後の進路を変動し易いからである。従って、右側ワープ入口から入球した遊技球と、左側ワープ入口から入球した遊技球とでは、それぞれのステージを転動したのちに始動口へ入賞する入賞難度が異なることとなる。
【００２９】
また、上記実施の形態では、センター役物装置２０内において大きく分けて右側と左側の２種類の球通過経路を介して特定入賞口５０へパチンコ球を誘導する場合について記載したが、球通過経路の数等は限定されず必要に応じて種々変更可能である。
【００３０】
また、上記実施の形態では、パチンコ球が球停留部材４０に停留する確率を変えるために、転動面積が異なる左球転動部４４ａおよび右球転動部４４ｂを備えた底板部材４４を用いる場合について記載したが、他の構成を用いることもできる。例えば、底板部材４４の右側と左側とで傾斜角度が異なるように構成したり、あるいは右側と左側とで数の異なる邪魔板部材が配置された底板部材４４を用いることで、パチンコ球が球停留部材４０に停留する確率を変えることができる。
【００３１】
また、上記実施の形態では、底板部材４０を転動したパチンコ球を一旦球停留部材４０に停留させ、その後に特定入賞口５０側へ放出する場合について記載したが、球停留部材４０の位置に特定入賞口５０を設け、底板部材４０を転動したパチンコ球が直接特定入賞口５０へ向けて転動するように構成することもできる。
【００３２】
【発明の効果】
以上説明したように、本発明によれば、遊技球が特定入賞口へ入賞するまでの態様に変化を与えることで、遊技内容をより多彩なものとし、遊技の興趣を高めることができる遊技機を実現することができる。
【図面の簡単な説明】
【図１】本実施の形態のパチンコ機１０の外観を示す正面図である。
【図２】図１中のセンター役物装置２０を拡大して表した正面図である。
【図３】パチンコ機１０の断面図であって、球停留部材４０が球導入位置にある場合を示している。
【図４】パチンコ機１０の断面図であって、球停留部材４０が球放出位置にある場合を示している。
【図５】センター役物装置２０における球停留機構の概要を示す平面図である。
【図６】センター役物装置２０における球停留機構の概要を示す斜視図である。
【図７】センター役物装置２０の斜視図であって、球停留部材４０が球導入位置にある場合を示している。
【図８】センター役物装置２０の斜視図であって、球停留部材４０が球放出位置にある場合を示している。
【図９】センター役物装置２０におけるパチンコ球の流れを示す斜視図である。
【図１０】センター役物装置２０におけるパチンコ球の流れを示す斜視図である。
【図１１】センター役物装置２０におけるパチンコ球の流れを示す斜視図である。
【符号の説明】
１０  …パチンコ機（遊技機）
１２  …遊技盤面
２０  …センター役物装置（入賞装置）
２１  …左球入口
２２  …右球入口
２３  …左羽根部材
２４  …右羽根部材
２９  …上球通路
３０  …入賞室
３２  …左球通路
３４  …右球通路
４０  …球停留部材
４０ａ  …軸
４１，４２，４３  …凹部
４４  …底板部材
４４ａ  …左球転動部
４４ｂ  …右球転動部
４７  …左入口
４８  …右入口
５０  …特定入賞口
５０ａ  …開口
５０ｂ  …センサ
５１，５２  …普通入賞口
６０  …棚板部材
６０ａ  …開口
７１  …電動手段
７０  …モータ
７２  …カム部材
７３  …スライド部材
７３ｂ  …押圧部
７４ａ  …レバー状突出部
７５  …軸
【図１】
0004576573.tif 000002
【図２】
0004576573.tif 000003
【図３】
0004576573.tif 000004
【図４】
0004576573.tif 000005
【図５】
0004576573.tif 000006
【図６】
0004576573.tif 000007
【図７】
0004576573.tif 000008
【図８】
0004576573.tif 000009
【図９】
0004576573.tif 000010
【図１０】
0004576573.tif 000011
【図１１】
0004576573.tif 000012